(57)【要約】【課題】土砂の掘削、及び支柱の構築を効率よく行うことができる支柱構築方法を提供する。【解決手段】一実施形態に係る支柱構築方法は、土砂Ｄに埋設された地下躯体Ｓに支柱１１を構築する支柱構築方法であって、鉛直上方から地下躯体Ｓに向かって鋼管１を圧入し、鋼管１が地下躯体Ｓに接触するまで鋼管１を圧入する工程と、鋼管１の内部の土砂Ｄを排出する工程と、鋼管１の内部に支柱１１を建て込む工程と、地下躯体Ｓの上面Ｓ４に支柱１１の下端１１ａを固定する工程と、を備える。【選択図】図５
2020084685.tif 000002
【特許請求の範囲】
【請求項１】
土砂に埋設された地下躯体に支柱を構築する支柱構築方法であって、
鉛直上方から前記地下躯体に向かって鋼管を圧入し、前記鋼管が前記地下躯体に接触するまで前記鋼管を圧入する工程と、
前記鋼管の内部の土砂を排出する工程と、
前記鋼管の内部に支柱を建て込む工程と、
前記地下躯体の上面に前記支柱の下端を固定する工程と、
を備える支柱構築方法。
【請求項２】
前記支柱は、路面覆工用の支柱であって、
前記支柱の下端を固定する工程の後に、前記支柱上に覆工板を架設する工程を備える、
請求項１に記載の支柱構築方法。
【請求項３】
前記鋼管を圧入する工程の後に、前記地下躯体の上方に位置する土砂の地盤改良を行う工程を備える、
請求項１又は２に記載の支柱構築方法。
【請求項４】
前記支柱の下端を固定する工程の後に、前記支柱周囲の前記鋼管の内部を土砂で埋め戻して前記鋼管を引き抜く工程を備える、
請求項１〜３のいずれか一項に記載の支柱構築方法。
【発明の詳細な説明】
【技術分野】
【０００１】
本発明は、土砂に埋設された地下躯体に支柱を構築する支柱構築方法に関する。
【背景技術】
【０００２】
土砂に支柱等を構築する方法としては、従来から種々のものが知られている。特許文献１には、建物の荷重を地盤に伝達する杭を地中に施工する深礎工法が記載されている。この深礎工法では、まず、地盤を掘削して一定の直径を有する一定深さの第１掘削孔を形成し、第１掘削孔の内部にリング状のライナープレートを配置する。そして、リング状のライナープレートの外周面と第１掘削孔の内周面との間に硬質ウレタン発泡原液を注入すると共に硬質ウレタン発泡原液を発泡させ、ライナープレートを第１掘削孔の内周面に固定する。
【０００３】
その後、硬質ウレタン発泡原液を発泡させて得られた発泡ウレタン充填層の上面に土砂を盛って盛土表層を形成すると共に、第１掘削孔の底部を掘削して第１掘削孔より小さい直径を有する一定深さの第２掘削孔を形成する。第２掘削孔を形成した後には、第２掘削孔の内部にリング状のライナープレートを配置し、ライナープレートの外周面と第２掘削孔の内周面との間に硬質ウレタン発泡原液を注入して硬質発泡ウレタン原液を発泡させることにより、ライナープレートを第２掘削孔の内周面に固定する。以上のように、掘削孔の掘削、掘削孔の内部へのライナープレートの配置、及び硬質ウレタン発泡原液の注入、を繰り返して、発泡ウレタン充填層をライナープレート裏込め層として形成する。
【先行技術文献】
【特許文献】
【０００４】
【特許文献１】特開平６−３３６８２号公報
【発明の概要】
【発明が解決しようとする課題】
【０００５】
ところで、土砂に埋設された地下躯体に支柱を構築する場合には、土砂の内部にリング状のライナープレートを配置した後にライナープレートの内部の土砂を排出し、土砂が排出されたライナープレートの内部に支柱を構築することが考えられる。しかしながら、ライナープレートは、地盤の状態が良好で且つ地下水位が低い箇所でしか用いることができない。すなわち、地下水位が高い土砂においてライナープレートを用いる場合、掘削孔を形成するときに土砂が崩れて掘削孔が陥没する可能性がある。また、ライナープレートは掘削を複数回繰り返しながら配置されるものであるため、ライナープレートを用いる場合には人力で掘削を行うことが必要となる場合がある。
【０００６】
前述した深礎工法のように、硬質ウレタン発泡原液等の薬液を注入する場合には、止水性が高まるため、前述した土砂の崩れを抑制することが可能となる。しかしながら、薬液の注入は、時間とコストがかかるという問題がある。具体的には、薬液の注入は複数の掘削孔の全てに対して行う必要があり、特に掘削孔の数が多い場合には薬液の注入に膨大な時間とコストがかかることが懸念される。従って、土砂の掘削、及び支柱の構築を効率よく行うことができないという問題がある。
【０００７】
本発明は、前述した問題に鑑みてなされたものであり、土砂の掘削、及び支柱の構築を効率よく行うことができる支柱構築方法を提供することを目的とする。
【課題を解決するための手段】
【０００８】
本発明に係る支柱構築方法は、土砂に埋設された地下躯体に支柱を構築する支柱構築方法であって、鉛直上方から地下躯体に向かって鋼管を圧入し、鋼管が地下躯体に接触するまで鋼管を圧入する工程と、鋼管の内部の土砂を排出する工程と、鋼管の内部に支柱を建て込む工程と、地下躯体の上面に支柱の下端を固定する工程と、を備える。
【０００９】
この支柱構築方法では、地下躯体に支柱を構築する前に、鉛直上方から地下躯体に向かって鋼管を地下躯体に接触するまで圧入する。そして、地下躯体に接触する鋼管の内部の土砂を排出した後に、鋼管の内部に支柱を建て込み、支柱の下端を地下躯体の上面に固定する。よって、地下水位が高い土砂に地下躯体が埋設されていても、当該土砂に鋼管を地下躯体に接触するまで圧入して鋼管の内部の土砂を排出することにより、鋼管の内部に土砂が崩れることはないので掘削孔の陥没を抑制することができる。すなわち、土砂の内部に鋼管を圧入して鋼管を地下躯体に接触させた状態で鋼管の内部の土砂を排出することにより、土砂が崩れることを抑制することができる。よって、鋼管の内部を支柱を建て込む領域とすることにより、支柱を建て込む領域への土砂の崩れを抑制することができるので、土砂の掘削、及び支柱の構築を効率よく行うことができる。また、この支柱構築方法では、鋼管が地下躯体に接触するように鋼管を土砂に圧入して鋼管の内部の土砂を排出した後には、土砂を掘削する必要がないため、人力で掘削を行う必要性を無くすことができる。更に、鋼管を土砂に圧入して土砂を排出した後に鋼管の内部に土砂が崩れることはないので、前述した薬液の注入を不要とすることができる。従って、鋼管の内部への支柱の構築を更に効率よく行うことができる。
【００１０】
また、支柱は、路面覆工用の支柱であって、支柱の下端を固定する工程の後に、支柱上に覆工板を架設する工程を備えてもよい。この場合、支柱上に路面覆工用の覆工板が架設されるので、前述した支柱の構築を効率よく行うことにより、路面覆工を効率よく行うことができる。
【００１１】
また、前述した支柱構築方法は、鋼管を圧入する工程の後に、地下躯体の上方に位置する土砂の地盤改良を行う工程を備えてもよい。この場合、地下躯体の上方の土砂の地盤改良を行うことにより、鋼管の内部への地下水等の侵入をより確実に抑制することができる。
【００１２】
また、前述した支柱構築方法は、支柱の下端を固定する工程の後に、支柱周囲の鋼管内を土砂で埋め戻してから鋼管を引き抜く工程を備えてもよい。この場合、支柱を固定した後に鋼管が土砂から引き抜かれるので、鋼管を転用することができる。また、鋼管を現場内で使い回すこともできるので、現場の作業の更なる効率化に寄与する。
【発明の効果】
【００１３】
本発明によれば、土砂の掘削、及び支柱の構築を効率よく行うことができる。
【図面の簡単な説明】
【００１４】
【図１】実施形態に係る支柱構築方法が適用された構造物の例を示す縦断面図である。
【図２】図１の構造物の支柱構築方法が適用される前の初期状態の例を示す縦断面図である。
【図３】実施形態に係る支柱構築方法の一工程の例を示す縦断面図である。
【図４】図３の工程の続きの例を示す縦断面図である。
【図５】図４の工程の続きの例を示す縦断面図である。
【図６】図５の工程の続きの例を示す縦断面図である。
【図７】図６の工程の続きの例を示す縦断面図である。
【図８】図７の工程の続きの例を示す縦断面図である。
【図９】図８の工程の続きの例を示す縦断面図である。
【発明を実施するための形態】
【００１５】
以下では、図面を参照しながら、本発明に係る支柱構築方法の実施形態について説明する。図面の説明において、同一又は相当する要素には同一の符号を付し、重複する説明を適宜省略する。また、図面は、理解を容易にするため、一部を簡略化又は誇張して描いている場合があり、寸法比率等は図面に記載のものに限定されない。
【００１６】
図１は、本実施形態に係る支柱構築方法が適用された後の構造体の縦断面図である。図２は、本実施形態に係る支柱構築方法が適用される前の構造体の縦断面図である。図１及び図２に示されるように、本実施形態に係る支柱構築方法は、例えば、線路の切り替え工事が行われる現場Ａにおいて用いられる。現場Ａでは、地下躯体Ｓが埋設されている。現場Ａでは、例えば、鉄道の高架化工事であって、地下躯体Ｓの上方に高架道路Ｒ１及び高架鉄道Ｒ２を敷設する工事が行われる。
【００１７】
例えば、地下躯体Ｓの両側のそれぞれには既設鋼矢板Ｂが設けられており、一対の既設鋼矢板Ｂのうちの一方側（図１及び図２では左側）の上部には既設の高架鉄道Ｒ３が設けられている。また、一対の既設鋼矢板Ｂのうちの他方側（図１及び図２では右側）には、例えば、水道管及びガス管が埋設されている。高架鉄道Ｒ２の高架鉄道Ｒ３との反対側には、高架道路Ｒ１との境界部分Ｐ１が設けられる。また、高架道路Ｒ１を含む道路用地は、境界部分Ｐ１から既設鋼矢板Ｂの外部にまで設けられる。
【００１８】
例えば、地下躯体Ｓは、地下鉄のプラットフォームを含んでいる。地下躯体Ｓは、例えば、床下部及び天井部を構成する支圧コンクリートＳ１と、支圧コンクリートＳ１の間において鉛直方向に延在する中柱Ｓ２とを備える。支圧コンクリートＳ１及び中柱Ｓ２によって鉄道が走行する空間Ｓ３が画成される。なお、地下躯体Ｓの構成は、支圧コンクリートＳ１及び中柱Ｓ２を備えた構成に限られず適宜変更可能である。
【００１９】
高架道路Ｒ１は、複数の支柱１１と、各支柱１１の上部に設けられる複数の桁受け１２と、複数の桁受け１２の上部において複数の桁受け１２を掛け渡す覆工受桁１３と、覆工受桁１３の上部に設けられる覆工板１４とを備える。支柱１１は、路面覆工用の支柱であり、桁受け１２及び覆工受桁１３を支持する支持杭、すなわち路面覆工支持杭として機能する。
【００２０】
例えば、高架鉄道Ｒ２は、一時的に敷設される仮線Ｒ４（一次仮線）と仮仮線Ｒ５（二次仮線）とを含んでいる。一例として、高架鉄道Ｒ２は、複数の柱２１と、複数の柱２１の間に設けられる複数のトラス構造２２と、複数の柱２１を掛け渡す複数の梁２３と、梁２３の上方に設けられる工事桁２４とを備える。但し、地下躯体Ｓの上方に構築される構造物の種類は適宜変更可能である。
【００２１】
現場Ａにおいて工事が行われる前には、地下躯体Ｓの上部に土砂Ｄが設けられており、例えば、土砂Ｄの地下水位Ｈが地面Ｄ１の近くに位置している。一例として、地下躯体Ｓの上部の土砂Ｄの深さは４ｍ以上且つ５ｍ以下であり、土砂Ｄの地下水位Ｈの深さは１ｍ程度である。本実施形態では、土砂Ｄを排出して地下躯体Ｓの上部に複数の支柱１１を構築し、支柱１１の上部に桁受け１２、覆工受桁１３及び覆工板１４を構築する。ところで、複数の支柱１１を構築する前に土砂Ｄを排出するときに、例えば、土砂Ｄを素掘りすると土砂Ｄが崩れて陥没を引き起こす懸念がある。
【００２２】
従って、本実施形態では、後述する鋼管１（図３等参照）を用いて支柱１１を構築する。具体的には、支柱１１を建て込むための縦孔を、土砂Ｄに埋め込んだ鋼管１の内部空間として形成し、鋼管１は、土砂Ｄの孔壁防護部材として機能する。また、鋼管１を土砂Ｄに鉛直上方から圧入して排土により鋼管１の内部空間を形成し、その内部空間に支柱１１を建て込む。その後、土砂Ｄから鋼管１を抜いて土砂Ｄを埋め戻し、路面覆工を行って地下躯体Ｓの上部の土砂Ｄを掘削する。
【００２３】
なお、本実施形態に係る支柱構築方法とは別に、例えば、土砂に筒状のライナープレートを埋め込んでライナープレートの内部に支柱を建て込む方法が知られている。この場合、土砂Ｄを掘削した後にライナープレートを配置する。しかしながら、ライナープレートは地下水位Ｈが高い土砂Ｄに配置すると、ライナープレートの内部に湧水が発生し土砂Ｄが崩れる可能性があるので、止水のために土砂Ｄへの薬液注入が必須となる。
【００２４】
土砂Ｄへの薬液注入を行わなければならない場合、湧水を抑制することはできるものの、薬液注入のための時間及びコストがかかる。具体的には、ライナープレートを用いる場合であって地下水位Ｈ以下の領域を掘削するときには、掘削範囲±１．５ｍ程度の薬液注入が必要となる。更に、掘削孔の直径が小さい場合には人力掘削が必要となることもある。そこで、本実施形態では、ライナープレートではなく鋼管１を用いて支柱１１を構築する。
【００２５】
図３は、土砂Ｄに埋設した鋼管１を示す現場Ａの縦断面図である。図２及び図３に示されるように、鋼管１は、支柱１１を構築する箇所に事前に圧入によって配置し、その後工程において鋼管１の内部に支柱１１が構築される。例えば、鋼管１は円筒状を成しており、鋼管１の高さ（軸線方向の長さ）は、３ｍ以上且つ１０ｍ以下であってもよいし、４ｍ以上且つ５ｍ以下であってもよい。例えば、鋼管１の直径は、１．０ｍ以上且つ１．５ｍ以下であり、一例として１．２ｍである。但し、鋼管１の高さ及び直径は適宜変更可能である。
【００２６】
以下では、本実施形態に係る鋼管１を用いた支柱構築方法について説明する。まず、図２及び図３に示されるように、土砂Ｄの支柱１１を構築する部位に鋼管１を鉛直上方から圧入する（鋼管を圧入する工程）。例えば、クレーンによって鋼管１を吊り上げ、鋼管圧入工法によって鋼管１を土砂Ｄに鉛直下方に圧入する。また、鋼管１は、オーガーが設けられた鋼管回転圧入機によって土砂Ｄに回転圧入されてもよい。
【００２７】
鋼管１の圧入は、鋼管１が地下躯体Ｓに接触するまで行う。鋼管１が地下躯体Ｓに接触することにより、鋼管１の内部への水の浸入が抑制される。このとき、鋼管回転圧入機のオペレータが鋼管１の地下躯体Ｓへの接触を確認してもよい。なお、鋼管１の圧入の後に、例えば安全性を一層高めるために、土砂Ｄの地盤改良を行ってもよい（土砂の地盤改良を行う工程）。例えば、高架道路Ｒ１が構築される場所（一例として図３の右側の箇所）に埋め込んだ鋼管１の付近に薬液を注入して土砂Ｄを改良してもよい。また、鋼管１の下端の土砂Ｄに薬液を注入して土砂Ｄを改良してもよい。
【００２８】
地盤改良のための薬液は、一例として、地盤硬化剤であり、土砂Ｄに地盤硬化剤を注入して鋼管１の周囲の土砂Ｄを硬化させる。なお、土砂Ｄの地盤改良は、場合によっては適宜省略することも可能である。また、支柱１１の構築予定位置に鋼管１を圧入した後には、図４に示されるように、鋼管１の内部の土砂Ｄを排出する（土砂を排出する工程）。このとき、例えば、オーガーによって鋼管１の内部の土砂Ｄを撹拌すると共に、土砂Ｄを上方移動させて土砂Ｄを鋼管１の外部に排出（排土）する。また、前述した鋼管回転圧入機を用いて土砂Ｄを鋼管１の外部に排出する場合、鋼管１の内部の土砂Ｄをほぼ全て排出できるので、人力掘削を大幅に削減可能となり、工程の大幅な短縮に寄与する。また、施工する地盤によっては、鋼管１の内部の土砂Ｄの水分が多く、前述のようにオーガーの撹拌によって上方移動させて土砂Ｄを鋼管１の外部に排出（排土）することができない場合がある。このような場合には、浚渫作業等で用いられる水中サンドポンプにより吸引することにより土砂Ｄを鋼管１の外部に排出（排土）する。
【００２９】
図５に示されるように、鋼管１の外部に土砂Ｄを排出した後には、鋼管１の内部に支柱１１を建て込む（支柱を建て込む工程）。そして、地下躯体Ｓの上面Ｓ４（頂板）に支柱１１の下端１１ａを固定する。例えば、支柱１１の下端１１ａには固定部材１５が固定されており、固定部材１５を地下躯体Ｓの上面Ｓ４に固定することによって、地下躯体Ｓへの支柱１１の固定が実現される。
【００３０】
図６は、固定部材１５の一例を示す図である。図６に示されるように、固定部材１５は、例えば、厚さ方向（図６の紙面に直交する方向）に貫通する複数の貫通孔１６ａを有する平板部１６と、支柱１１及び平板部１６に固定される複数のリブ１７と、複数の貫通孔１６ａのそれぞれに挿通されるアンカーボルトとを備える。固定部材１５のアンカーボルトは、例えば、ケミカルアンカーを構成し、支柱１１は固定部材１５を介してケミカルアンカーによって地下躯体Ｓの上面Ｓ４に固定される。なお、固定部材１５の構成（形状、大きさ、数、材料及び配置態様）は、平板部１６及びリブ１７を有する態様に限られず、適宜変更可能である。
【００３１】
支柱１１の下端１１ａを地下躯体Ｓの上面Ｓ４に固定した後には、図７に示されるように、支柱１１周囲の鋼管１の内部を土砂Ｄで埋め戻してから鋼管１を引き抜く（土砂を埋め戻す工程）。具体的には、支柱１１の下端１１ａを地下躯体Ｓの上面Ｓ４に固定部材１５を介して固定した後に、地下躯体Ｓに固定した支柱１１の周囲を土砂Ｄで埋め戻し、支柱１１を囲む鋼管１を鉛直上方に引き抜く。なお、引き抜いた鋼管１は、例えば、現場Ａの別の場所、又は現場Ａとは別の現場にて再利用される。
【００３２】
そして、図８に示されるように、支柱１１の上部に桁受け１２を固定し、複数の桁受け１２を掛け渡すように覆工受桁１３及び覆工板１４を固定することによって、覆工受桁１３及び覆工板１４の架設を行う（支柱上に覆工板を架設する工程）。その後、図９に示されるように、例えば支柱１１の周囲の土砂Ｄを全て排出し、地下躯体Ｓの上部且つ支柱１１の周囲に補強用の支圧コンクリート１８を打設して、高架道路Ｒ１の構築が完了する。
【００３３】
また、支圧コンクリート１８を打設した後には、図１に示されるように、例えば、地下躯体Ｓの上部に柱２１、トラス構造２２、梁２３及び工事桁２４を組み立てることによって、高架鉄道Ｒ２の構築が完了する。以上の工程を経て、地下躯体Ｓの上部に高架道路Ｒ１及び高架鉄道Ｒ２の構築を完了させることが可能である。なお、高架鉄道Ｒ２の構築完了後には、更に高架鉄道Ｒ２の仮線Ｒ４及び仮仮線Ｒ５から本線への切り替え工事が行われてもよい。
【００３４】
次に、本実施形態に係る支柱構築方法の作用効果について詳細に説明する。本実施形態に係る支柱構築方法では、例えば図４及び図５に示されるように、地下躯体Ｓに支柱１１を構築する前に、鉛直上方から地下躯体Ｓに向かって鋼管１を地下躯体Ｓに接触するまで圧入する。そして、地下躯体Ｓに接触する鋼管１の内部の土砂Ｄを排出した後に、鋼管１の内部に支柱１１を建て込み、支柱１１の下端１１ａを地下躯体Ｓの上面Ｓ４に固定する。よって、地下水位Ｈが高い土砂Ｄに地下躯体Ｓが埋設されていても、土砂Ｄに鋼管１を地下躯体Ｓに接触するまで圧入して鋼管１の内部の土砂Ｄを排出することにより、鋼管１の内部に土砂Ｄが崩れることはないので掘削孔の陥没を抑制することができる。
【００３５】
すなわち、土砂Ｄの内部に鋼管１を圧入して鋼管１を地下躯体Ｓに接触させた状態で鋼管１の内部の土砂Ｄを排出することにより、土砂Ｄが崩れることを抑制することができる。よって、鋼管１の内部を支柱１１を建て込む領域とすることにより、支柱１１を建て込む領域への土砂Ｄの崩れを抑制することができるので、土砂Ｄの掘削、及び支柱１１の構築を効率よく行うことができる。更に、鋼管１の内部に支柱１１を建て込む場合、狭いスペースであっても掘削を効率よく行うことができる。
【００３６】
また、この支柱構築方法では、鋼管１が地下躯体Ｓに接触するように鋼管１を土砂Ｄに圧入して鋼管１の内部の土砂Ｄを排出した後には、土砂Ｄを掘削する必要がないため、人力で掘削を行う必要性を無くすことができる。更に、鋼管１を土砂Ｄに圧入して土砂Ｄを排出した後に鋼管１の内部に土砂Ｄが崩れることはなく、鋼管１そのものが止水性を有しており鋼管１の内部に水が浸透することがないので、前述した止水のための薬液の注入を不要とすることができる。従って、薬液の注入のための時間及びコストを抑えることができるので、鋼管１の内部への支柱１１の構築を更に効率よく行うことができる。
【００３７】
また、本実施形態に係る支柱構築方法において、例えば図１に示されるように、支柱１１は、路面覆工用の支柱であって、支柱１１の下端１１ａを固定する工程の後に、支柱１１の上に覆工板１４を架設する工程を備える。従って、支柱１１の上に、桁受け１２及び覆工受桁１３の架設を経て路面覆工用の覆工板１４が架設されるので、前述した支柱１１の構築を効率よく行うことにより、路面覆工を効率よく行うことができる。
【００３８】
また、本実施形態に係る支柱構築方法は、鋼管１を圧入する工程の後に、地下躯体Ｓの上方に位置する土砂Ｄの地盤改良を行う工程を備えてもよい。この場合、地下躯体Ｓの上方の土砂Ｄの地盤改良を行うことにより、鋼管１の内部への地下水等の侵入をより確実に抑制することができる。
【００３９】
また、本実施形態に係る支柱構築方法は、例えば図５及び図７に示されるように、支柱１１の下端１１ａを固定する工程の後に、支柱１１周囲の鋼管１の内部を土砂Ｄで埋め戻してから鋼管１を引き抜く工程を備える。従って、支柱１１を固定した後に鋼管１が土砂Ｄから引き抜かれるので、鋼管１を転用することができる。また、鋼管１を現場Ａ内で使い回すこともできるので、現場Ａの作業の更なる効率化に寄与する。
【００４０】
以上、本発明に係る支柱構築方法の実施形態について説明した。しかしながら、本発明は、前述した実施形態に限定されるものではなく、各請求項に記載した要旨を変更しない範囲において変形し、又は他のものに適用したものであってもよい。すなわち、支柱構築方法の各工程の内容及び順序は、上記の要旨を変更しない範囲において適宜変更可能である。
【００４１】
例えば、前述の実施形態では、路面覆工用の支柱１１について説明した。しかしながら、支柱は、路面覆工用のものでなくてもよく、例えば、シートパイル又は親杭等、別の用途で用いられる支柱であってもよい。また、前述の実施形態では、ケミカルアンカーによって支柱１１の下端１１ａを地下躯体Ｓの上面Ｓ４に固定する例について説明した。しかしながら、地下躯体の上面への支柱の下端の固定手段は適宜変更可能である。
【００４２】
また、前述の実施形態では、土砂Ｄの深さが４ｍ以上且つ５ｍ以下であり、土砂Ｄの地下水位Ｈの深さが１ｍ程度である例について説明した。しかしながら、地下躯体の上部に設けられる土砂の深さ及び地下水位の程度は適宜異なっていてもよい。また、土砂に圧入される鋼管の軸線方向の長さ及び直径についても、前述した実施形態に限られず、適宜変更可能である。
【００４３】
また、本実施形態に係る支柱構築方法では、線路の切り替え工事が行われる現場Ａであって、地下躯体Ｓの上方に高架道路Ｒ１及び高架鉄道Ｒ２が構築される現場Ａについて説明した。しかしながら、高架道路及び高架鉄道の構成は適宜変更可能である。更に、本発明に係る支柱構築方法は、線路の切り替え工事が行われる現場以外の現場に対しても適用可能である。
【００４４】
また、前述の実施形態では、支圧コンクリートＳ１、中柱Ｓ２及び空間Ｓ３を備える地下鉄を成す地下躯体Ｓについて説明した。しかしながら、地下躯体の構成、地下躯体の上方に構築される構築物、及び現場において行われる構築作業の内容は適宜変更可能である。すなわち、本発明に係る支柱構築方法は、地下躯体に構築される支柱を用いた方法であればよく、当該方法が行われる現場の種類、及び、方法によって実現される作業の内容については適宜変更可能である。
【符号の説明】
【００４５】
１…鋼管、１１…支柱、１１ａ…下端、１２…桁受け、１３…覆工受桁、１４…覆工板、１５…固定部材、１６…平板部、１６ａ…貫通孔、１７…リブ、１８…支圧コンクリート、２１…柱、２２…トラス構造、２３…梁、２４…工事桁、Ａ…現場、Ｂ…既設鋼矢板、Ｄ…土砂、Ｄ１…地面、Ｈ…地下水位、Ｐ１…境界部分、Ｒ１…高架道路、Ｒ２…高架鉄道、Ｒ３…高架鉄道、Ｒ４…仮線、Ｒ５…仮仮線、Ｓ…地下躯体、Ｓ１…支圧コンクリート、Ｓ２…中柱、Ｓ３…空間、Ｓ４…上面。
【図１】
2020084685.tif 000003
【図２】
2020084685.tif 000004
【図３】
2020084685.tif 000005
【図４】
2020084685.tif 000006
【図５】
2020084685.tif 000007
【図６】
2020084685.tif 000008
【図７】
2020084685.tif 000009
【図８】
2020084685.tif 000010
【図９】
2020084685.tif 000011